(57)【要約】【課題】展開時に容積が大きく、閉じたときに体積が小さくなり、在庫コストおよび運搬コストを大幅に低減可能である伸縮容器を提出すること。【解決手段】鉛直の節リングと、傾斜している節リングと、を交錯に連接して構成され、テ−パ形状を呈する伸縮容器において、前記傾斜している節リングの水平との開角は６０〜８０度である伸縮容器。【選択図】図１
0003138719.tif 000002
【実用新案登録請求の範囲】
【請求項１】
鉛直の節リングと、傾斜している節リングと、を交錯に連接して構成され、テ−パ形状を呈する伸縮容器において、
前記傾斜している節リングの水平との開角は６０〜８０度であることを特徴とする、
伸縮容器。
【請求項２】
容器の一端が封止され、容器の他端が開放されていることを特徴とする、請求項１に記載の伸縮容器。
【請求項３】
鉛直の節リングと、傾斜している節リングと、を交錯に連接して構成され、テ−パ形状を呈する伸縮容器において、
前記傾斜している節リングの水平との開角は６０〜８０度であり、
且つ前記傾斜している節リングには欠け口が凹設してあることを特徴とする、
伸縮容器。
【考案の詳細な説明】
【技術分野】
【０００１】
本考案は、伸縮可能な伸縮容器に係り、特に、鉛直の節リングと、水平開角が６０〜８０度に傾斜している節リングと、を交錯に連接して構成され、テ−パ形状を呈し、展開して使用したり、片付けて収納したりすることが可能である伸縮容器に関するものである。
【背景技術】
【０００２】
現在、茶碗、皿、コップやヤカンなどの容器は、食べ物などを収容する機能を持つので、国民の生活上の不可欠なものになった。
【０００３】
しかし、市販されている各種類の茶碗、皿、コップやヤカンなどの容器は、食べ物などを収容可能であるが、その体積が一定である。
そして在庫および運搬の時にスペースがかなり掛かられ、在庫コストおよび運搬コストが膨大になるといった問題があった。
【０００４】
上記の問題を解決するために、展開して使用したり、片付けて収納したりすることが可能である伸縮容器が開発された。
この伸縮容器は、図６および図７に示すように、互いに連接している節リング３から構成されるものである。
前記節リング３は、鉛直の節リング３１の上縁に４５度に傾斜している節リング３２を連接している。
そして前記４５度に傾斜している節リング３２の上縁に鉛直の節リング３１を連接している。
節リング３２が４５度に傾斜しているので、全体の形状は下から上へ徐々に縮径する形状を呈し、頂端には小径の円形な開口が形成される。
【０００５】
従来の伸縮容器の節リング３２が４５度に傾斜しており、傾斜度が大きいであり、全体の形状は下から上へ徐々に縮径する形状を呈し、頂端には小径の円形な開口が形成される。
そのため、従来の伸縮容器内の水を傾けようとする場合には、頂端にある開口が小さいため、水の流出が遅いものである。
逆に前記開口を大きく形成すると伸縮容器全体の高さを低くすることが必要となって、伸縮容器の容積が小さくなる。
【０００６】
以上のように、４５度に傾斜している節リング３２を持つ従来の伸縮容器は、漏斗としては使用可能であって、茶碗やコップとして使用するには不向きである。
【考案の開示】
【考案が解決しようとする課題】
【０００７】
本考案の主な目的は、展開されたときに容積が大きく、片付けられたときに体積が小さくなり、在庫コストおよび運搬コストを大幅に低減可能である伸縮容器を提供することにある。
【課題を解決するための手段】
【０００８】
上記目的を達成するためになされた本願の考案は、鉛直の節リングと、傾斜している節リングと、を交錯に連接して構成され、テ−パ形状を呈する伸縮容器において、前記傾斜している節リングの水平との開角は６０〜８０度であることを特徴とする伸縮容器であることを要旨としている。
【０００９】
本願の考案では、一端が封止端であり、他端が開放端であることを特徴とする、前記伸縮容器であることを要旨としている。
【００１０】
本願の考案では、鉛直の節リングと、傾斜している節リングと、を交錯に連接して構成され、テ−パ形状を呈する伸縮容器において、前記傾斜している節リングの水平との開角は６０〜８０度であり、且つ前記傾斜している節リングには欠け口が凹設してあることを特徴とする伸縮容器であることを要旨としている。
【考案の効果】
【００１１】
本考案の伸縮容器によれば、次のような効果がある。
（１）本考案の伸縮容器は、鉛直の節リングと、水平との開角が６０〜８０度に傾斜している節リングと、を交錯に連接して構成され、テ−パ形状を呈するので、本考案をコップやヤカンに適用するときに、開口の直径が大きいので、伸縮容器内の水を傾ける場合には、水が速く流出可能である。
【００１２】
（２）本考案をヤカンに適用するときには、伸縮容器の外形が円柱に似ている円錐形状を呈するので、伸縮容器は、容積が大きく、充分の水を収容可能である。
【００１３】
（３）本考案を茶碗に適用するときには、外出しようとする場合に伸縮容器をフラット状に圧縮して携帯可能であり、使用しようとする場合に伸縮容器を展開すると食べ物を収容可能である。
【００１４】
（４）本考案の伸縮容器を展開し、又は片付けるときには、伸縮容器の全長が伸縮するので、子供のユーザに対して娯楽効果がある。
【００１５】
（５）本考案の伸縮容器は、運搬しようとする場合に、伸縮容器を圧縮すると、全体体積が小さくなり、一回で運搬可能の数量が多くなるので、運搬コストを大幅に低減可能である。
【００１６】
（６）本考案の伸縮容器は、鉛直の節リングと、水平との開角が６０〜８０度に傾斜している節リングと、を交錯に連接して構成され、テ−パ形状を呈するので、水平との開角が４５度に傾斜している節リングに比べると、同じ底面積および高さの条件で、本考案の伸縮容器の開口の直径は４５度に傾斜している節リング３２を持つ伸縮容器の開口よりも大きいと共に、伸縮容器の外形が円柱に似ている円錐形状を呈するので、本考案の伸縮容器の容積は従来のものよりも更に大きくなる。
【考案を実施するための最良の形態】
【００１７】
以下、添付図面を参照して本考案の好適な実施の形態を詳細に説明する。
【００１８】
まず、図１を参照する。本考案の伸縮容器は、鉛直の節リング１と、傾斜している節リング２と、を交錯に連接して構成され、テ−パ形状を呈する。
【００１９】
前記節リング１，２の連接の順序は、図２に示すように、鉛直の節リング１の一端に、水平との開角θが６０〜８０度に傾斜している節リング２が連接される。
また、本考案を片付けるときに節リング１，２の連接箇所が湾折点になる。
【００２０】
また、本考案の片付けられた状態の外観を向上するために、更に、図３及び図４に示すように、傾斜している節リング２の外側に欠け口２１が凹設してある。
本考案の容器を片付けるときに、前記欠け口２１が別の湾折点になり、これにより、傾斜している節リング２を折り畳んで鉛直の節リング１に入れるときに、図５に示すように、傾斜している節リング２は二回に折り畳んで鉛直の節リング１に入れ可能である。
【００２１】
これにより、本考案の伸縮容器を片付けようとする場合には、図５に示すように、更に、節リング１，２を押し下げ、このとき、鉛直の節リング１と、傾斜している節リング２との連接箇所が湾折可能となる。
そのため、節リング１と節リング２とを折り畳み可能であり、一方、傾斜している節リング２に凹設された欠け口２１は別の湾折可能の箇所であるので、節リング２は更に節リング１に収容され易くなる。
これにより、片付けられた伸縮容器はフラット状となる。
【００２２】
上記のような構成によれば、運搬しようとする場合に、伸縮容器を圧縮すると、全体体積が小さくなり、一回で運搬可能の数量が多くなるので、運搬コストを大幅に低減可能である。
【００２３】
また、本考案の成形は、図１に示すように、大径の一端を封止端にして小径の一端を開放端にすることができる。
そうすると、本考案がコップやヤカンになる。
また、開放端に装飾蓋をカバーしてもよい。
このように、本考案が展開されたときに、全体が下から上へ段階的で徐々に拡径するので、開放端が直径が大きいので、伸縮容器内の水を傾ける場合には、水が速く流出可能である。
そして伸縮容器の外形が円柱に似ている円錐形状を呈するので、伸縮容器は、容積が大きく、充分の水を収容可能である。
【００２４】
また、本考案の成形は、図１に示すように、小径の一端を封止端にして大径の一端を開放端にすることができる。
そうすると、本考案が茶碗や皿になる。
そしてその開放端に装飾蓋をカバーしてもよい。
このように、ユーザは、外出しようとする場合に伸縮容器をフラット状に圧縮して携帯可能であり、使用しようとする場合に伸縮容器を展開すると伸縮容器が茶碗や皿のような容器になって食べ物を収容可能である。
【００２５】
また、本考案の伸縮容器を展開し、又は片付けるときには、伸縮容器の全長が伸縮するので、子供のユーザに対して娯楽効果がある。
【図面の簡単な説明】
【００２６】
【図１】本考案の展開状態の断面図である。
【図２】本考案の片付けられた状態の断面図である。
【図３】本考案の別の実施例の展開状態の断面図である。
【図４】本考案の別の実施例の一部の拡大断面図である。
【図５】本考案の別の実施例の片付けられた状態の断面図である。
【図６】従来のものの展開状態の断面図である。
【図７】従来のものの片付けられた状態の断面図である。
【符号の説明】
【００２７】
１        節リング
２        節リング
３        節リング
２１      欠け口
３１      節リング
３２      節リング
θ        水平開角
【図１】
0003138719.tif 000003
【図２】
0003138719.tif 000004
【図３】
0003138719.tif 000005
【図４】
0003138719.tif 000006
【図５】
0003138719.tif 000007
【図６】
0003138719.tif 000008
【図７】
0003138719.tif 000009